(57)【要約】【課題】近視で老眼の人が比較的簡単な操作で、遠くから近くまでよく見えるようになる眼鏡を提供すること。【解決手段】凹レンズを使用した眼鏡であって、該凹レンズと眼球との距離を可変にできる構造を有することを特徴とする眼鏡によって課題を解決した。また、近視で老眼の人が、遠くを見るときは該凹レンズと眼球との距離を短く設定し、近くを見るときは該凹レンズと眼球との距離を長く設定する使用方法によって課題を解決した。【選択図】図１
2006317728.tif 000002
【特許請求の範囲】
【請求項１】
凹レンズを使用した眼鏡であって、該凹レンズと眼球との距離を可変にできる構造を有することを特徴とする眼鏡。
【請求項２】
該凹レンズと眼球との距離を可変にできる構造が、鼻当ての鼻に接触する面を、該凹レンズから遠ざけることができる構造を有するものである請求項１記載の眼鏡。
【請求項３】
該凹レンズと眼球との距離を可変にできる構造が、眼鏡の弦の長さを長くできる構造を有するものである請求項１又は請求項２記載の眼鏡。
【請求項４】
該凹レンズと眼球との距離を可変にできる構造が、該凹レンズの固定治具が該凹レンズと共に、眼鏡の弦に固定されたレンズ枠から前に迫り出させることができる構造を有するものである請求項１記載の眼鏡。
【請求項５】
該凹レンズと眼球との距離を可変にできる構造が、眼球と該凹レンズとの距離が多段階に又は連続的に設定できるように、該凹レンズの固定治具と伸縮部を有する構造である請求項１記載の眼鏡。
【請求項６】
近視で老眼の人が、遠くを見るときは該凹レンズと眼球との距離を短く設定し、近くを見るときは該凹レンズと眼球との距離を長く設定する使用方法用の請求項１ないし請求項５の何れかの請求項記載の眼鏡。
【請求項７】
近視の度が−２より強い人用の請求項１ないし請求項６の何れかの請求項記載の眼鏡。
【発明の詳細な説明】
【技術分野】
【０００１】
本発明は、近視で老眼の人用の眼鏡に関し、更に詳細には、近視で老眼の人が、遠くでも近くでもよく見えるように、簡単な操作で近視用凹レンズと眼球との距離を変えられるようにした眼鏡に関する。
【背景技術】
【０００２】
近視で老眼の人は、度が近視用に調節された眼鏡をかけたときは、遠くはよく見えるが、近くはよく見えない場合がある。また、近視の度が弱い眼鏡、すなわち遠くがよく見えるように調節した本来のものより焦点距離が長い近視用凹レンズの眼鏡をかけた場合は、その逆で、近くはある程度見えるが、遠くはよく見えない場合がある。
【０００３】
近視の人が常時にかけている眼鏡は、遠くがよく見えるように、通常、度が近視用に調節されているので、更に老眼でもある人は、その近視用眼鏡をかけた状態では、近いものがよく見えない場合があった。そして、どうしても近くを見たい場合には、近視用の凹レンズの眼鏡を外さなければならず、極めて面倒な場合があった。また、近視用眼鏡をかけたまま近くを見ようとする場合には、見ようとする対象を目から遠ざけなければよく見えないという問題点があった。
【０００４】
眼鏡をかけたままで、遠くのものと近くのものを見ようとする人のために遠近両用レンズが知られている（例えば、特許文献１ないし４）。しかしながら、遠近両用レンズは焦点距離がレンズの例えば上下位置で異なるため、製造が難しく高価なものであった。また、焦点距離の異なる境目では見にくいという欠点もあった。更に、遠くのものはレンズの上の方を通して見て、近くのものはレンズの下の方を通して見るという煩雑さもあった。また、レンズの上から下に向かって、焦点距離を徐々に変えたものもあるが、上記したものと同様の問題点は依然解決されなかった。
【０００５】
そのため、近視で老眼の人が比較的簡単な操作で、遠くから近くまでよく見えるようになる眼鏡が望まれていた。
【特許文献１】特開平０３−１４６４１９号公報
【特許文献２】特開平０９−２８７０７７号公報
【特許文献３】特開２００３−０９６５７５号公報
【特許文献４】特開２００４−３２３８９５号公報
【発明の開示】
【発明が解決しようとする課題】
【０００６】
本発明は、かかる背景技術に鑑みてなされたものであり、その課題は、近視で老眼の人が比較的簡単な操作で、遠くから近くまでよく見えるようになる眼鏡を提供することにある。
【課題を解決するための手段】
【０００７】
本発明者らは上記課題を解決すべく鋭意検討を行った結果、近視用の凹レンズの位置を眼球から遠ざけることによって、近視用の凹レンズをかけたままで、老眼の人でも近くがよく見えるようになることを見出し、本発明に到達した。
【０００８】
すなわち本発明は、凹レンズを使用した眼鏡であって、該凹レンズと眼球との距離を可変にできる構造を有することを特徴とする眼鏡を提供するものである。
【発明の効果】
【０００９】
本発明の眼鏡は、簡単な操作で凹レンズの位置を眼球から遠ざけることによって、近視用の凹レンズをかけたままで、老眼の人でも近くがよく見えるようになるものである。また、眼鏡を外して近くを見たり、高価であるにもかかわらず見にくい遠近両用レンズを使用したりすることなく、近視で老眼の人が簡便な方法で近くがよく見えるようになるものである。
【発明を実施するための最良の形態】
【００１０】
本発明において、「老眼」とは、眼の水晶体の焦点距離の調節可能幅が狭くなった眼の状態をいい、老人の眼がそのような状態である場合が多いが、特に老人の眼に限定されるものではない。
【００１１】
本発明の眼鏡は、凹レンズと眼球との距離を可変にできる構造を有する。本発明の眼鏡は、かかる構造を有するものであれば、その可変にするための具体的構造は特に限定はないが、例えば、図１ないし図３に記載の構造が挙げられる。
【００１２】
図１は、伸縮部（縮んだ状態４Ａ及び伸びた状態４Ｂ）を有し、近視用凹レンズ１と眼球との距離を可変にできる構造が、鼻当て３ａの鼻に接触する面３ｂを、該凹レンズから遠ざけることができる構造を有するものである。図１（ａ）は、近視用の凹レンズと眼球との距離を短くした状態を示し、図１（ｂ）は、その距離を長くした状態を示す。
【００１３】
伸縮部４Ａ及び４Ｂの具体的構造は、近視用凹レンズ１と眼球との距離を可変にできさえすれば図１記載の構造に限定はされず、あらゆる構造のものが使用できる。すなわち、一旦眼鏡を外し、所望の距離になるよう固定位置に鼻当て３ａをセットしてから、再度眼鏡をかけるような構造でもよいし、眼鏡をかけたままで、鼻当て３ａの位置を変更できるような構造でもよい。
【００１４】
眼鏡をかけたままで、鼻当て３ａの位置を変更する方法としては、近視用凹レンズ１と眼球との距離を短くするために、鼻当て３ａを指でつまんで引っ込めるような構造でもよいし、鼻当ての面３ｂを鼻に押しつけることによって、鼻当て３ａを引っ込めるような構造でもよい。
【００１５】
近視用凹レンズ１と眼球との距離を可変にするための伸縮部４Ａ及び４Ｂの構造としては、固定位置を複数個設定して、距離を多段階で調整できるようにしてもよいし、図４に示すように連続で調整できるようにしてもよい。好ましくは、連続で調整できるような構造であり、特に好ましくは、後述する図４に示すような構造である。
【００１６】
眼鏡固定部７の構造は、特に限定はなく、図２のように、耳を巻き込むように曲がった構造でもよいし、図１のように、実質的に真っ直ぐな構造でもよい。ただ、図１のように、鼻当て３ａの位置を変更することによって、近視用凹レンズ１と眼球との距離を可変にできる構造を有する場合には、眼鏡全体が前に迫り出すので、眼鏡固定部７の構造は、耳がじゃまにならないように図１に示すような実質的に真っ直ぐな構造が好ましい。
【００１７】
図２は、眼鏡の弦５の一部分に、伸縮部（縮んだ状態４Ａ及び伸びた状態４Ｂ）を設けた構造を有する場合である。図２（ａ）の状態から図２（ｂ）の状態になると、実質的に弦５が長くなるので、それによって、近視用凹レンズ１と眼球との距離が長くなる。伸縮部４Ａ及び４Ｂの構造は、近視用凹レンズ１と眼球との距離を可変にできさえすれば図２記載の構造に限定はされず、あらゆる構造のものが使用できる。
【００１８】
この場合、図１に示したような鼻当て３ａの位置を変更できる構造と組み合わせてもよい。またこの場合、眼鏡固定部７の構造は特に限定はないが、眼鏡固定部７を耳に固定するために、耳を巻き込むように曲がった構造が好ましい。
【００１９】
図３は、近視用凹レンズ１と眼球との距離を可変にできる構造が、近視用凹レンズ１の固定治具８が該近視用凹レンズと共に、眼鏡の弦５に固定されたレンズ枠２から前に迫り出させることができる構造を有するものである。すなわち、近視用凹レンズ１と眼球との距離を可変にできる構造が、近視用凹レンズ１と眼球との距離が多段階に又は連続的に設定できるように、凹レンズ固定治具８と伸縮部４Ａ、４Ｂを有する構造である。
【００２０】
凹レンズ固定治具８の構造は、近視用凹レンズ１と伸縮部４Ａ、４Ｂを直接に又は間接的に固定できさえすれば限定はないが、近視用凹レンズ１の周りを完全に囲む構造のもの、図３に記載したように近視用凹レンズ１の少なくとも上部を固定するもの、近視用凹レンズ１の一部を摘む構造のものが好ましい。
【００２１】
レンズ枠２の構造は、該円形、該楕円形、該四角形等閉じた形でも、例えば、近視用凹レンズ１の上部にのみ存在する構造のものでもよい。
【００２２】
伸縮部４Ａ及び４Ｂの構造は、近視用凹レンズ１と眼球との距離を可変にできさえすれば図３記載の構造に限定はされず、あらゆる構造のものが使用できる。一旦眼鏡を外し、所望の距離になるように近視用凹レンズ１と凹レンズ固定治具８を引き出して距離を固定し、再度眼鏡をかけるような構造でもよいし、眼鏡をかけたままで引き出すような構造でもよい。また、凹レンズ固定治具８のレンズ枠２への固定位置を複数箇所設定して、近視用凹レンズ１と眼球との距離を多段階で調整できるようにしてもよいし、図４に示すような構造等によって、その距離を連続で調整できるようにしてもよい。
【００２３】
図４は、本発明の眼鏡に用いられる伸縮部（縮んだ状態４Ａ及び伸びた状態４Ｂ）の一例を示すものである。シリンダー１１の中に、軸１２が挿入されており、軸１２の先端に設けられた固定部材１３ａの固定表面１３ｂとシリンダー１１の内壁表面との摩擦力によって、軸１２はシリンダー１１に固定されている。そして、シリンダー１１に軸１２を押し入れたり（図４（ａ））、引き出したり（図４（ｂ））することによって長さを調節する。
【００２４】
眼鏡の各部の材質は通常用いられているものが使用できる。伸縮部４Ａ、４Ｂの材質も特に限定されず、樹脂であっても金属であってもよいが、耐久性の点で金属であることが好ましい。
【００２５】
本発明の眼鏡は、近視で老眼の人が、遠くを見るときは近視用凹レンズ１と眼球との距離を短く設定し（図１〜４における（ａ）の方に近づけ）、近くを見るときはその距離を長く設定して（図１〜４における（ｂ）の方に近づけて）使用する。
【００２６】
近視の度は、強い人ほど本発明の効果が顕著に現れるので好ましい。近視の度が−２より強い人用であるときに効果をよりよく発揮するので好ましく、−４より強い人用であるときが特に好ましく、−６より強い人用であるときが更に特に好ましい。近視の度があまり強くない人の場合、すなわち焦点距離が比較的長い近視用凹レンズの場合には、近視用凹レンズ１と眼球との距離を長く設定しても（図の（ａ）から（ｂ）にしても）、近くがよりよく見えるようになる効果が小さい場合がある。
【００２７】
また、近視の度があまり強くない人は、近視用の眼鏡を外して近くがよく見えるようにしても、同時に遠くもある程度は見えるが、近視の度が強い人は、近くを見るために眼鏡を外してしまっては、遠くは全く見えないという問題点があるので、本発明の眼鏡を使用する効果は、近視の度が強い人に対して特に現れる。また、近視の度が強い人は、眼鏡を外してしまっては、本等の対象物を見る時に極めて眼球をそれに近づけなければよく見えない場合があり、その場合には格好が悪く、また本等の同時に読める範囲が狭くなるので、この場合にも眼鏡をかけたまま近くがよく見えるようになるという本発明の眼鏡を使用する効果が特に現れるので好ましい。
【００２８】
通常かけている状態、すなわち伸縮部の標準状態をどこにするかは特に限定はないが、以下の（１）及び（２）が挙げられる。
（１）近視用凹レンズ１の焦点距離を無限遠がよく見えるように十分短くし（近視を適切に矯正し）、標準状態で近視用凹レンズ１と眼球との距離を短く設定（伸縮部４Ａの状態に）し、近くを見るときに、近視用凹レンズ１と眼球との距離を長くする（伸縮部４Ａから４Ｂの状態に近づける）。
（２）標準状態で、近視用凹レンズ１の度を弱くし（近視を完全には矯正せず）、近視用凹レンズ１と眼球との距離を中間に設定（伸縮部４Ａと４Ｂの中間の状態に）し、近くを見るときに伸縮部４Ｂに近づけ、遠くを見るときに伸縮部４Ａに近づけるようにする。
【００２９】
近視用凹レンズ１と眼球との距離を長く設定した場合、すなわち伸縮部４Ａと４Ｂの中間の状態に設定した場合は、眼鏡としてやや不自然なので、標準状態が伸縮部４Ａの状態である（１）の方がより好ましい。また、近視用凹レンズ１の焦点距離を無限遠がよく見えるように近視を適切に矯正した凹レンズが、本発明の眼鏡にも使用できるので、（１）の方がより好ましい。
【産業上の利用可能性】
【００３０】
本発明の眼鏡は、近視の人が近視用眼鏡をかけた状態では近くが見にくくなったときに、近視用眼鏡をかけたままでも近くが見えるようになる。すなわち、近視の人が眼鏡を外して近くを見たり、高価であるにもかかわらず見にくい遠近両用レンズを使用したりすることなく、簡便な方法で近くがよく見えるようになるので、殆どの近視の人が加齢した時に広く使用されるものである。また、遠近両用レンズを使用する必要もないので、従来使用してきた近視用凹レンズを本発明の眼鏡に再利用することもできるので極めて便利である。
【図面の簡単な説明】
【００３１】
【図１】鼻当てに設置された伸縮部によって、近視用凹レンズと眼球との距離を可変にする本発明の眼鏡の構造の一例を示す図である。（ａ）近視用凹レンズと眼球との距離を短くするために、伸縮部が縮んだ状態。（ｂ）近視用凹レンズと眼球との距離を長くするために、伸縮部が伸びた状態。
【図２】弦に設置された伸縮部によって、近視用凹レンズと眼球との距離を可変にする本発明の眼鏡の構造の一例を示す図である。（ａ）近視用凹レンズと眼球との距離を短くするために、伸縮部が縮んだ状態。（ｂ）近視用凹レンズと眼球との距離を長くするために、伸縮部が伸びた状態。
【図３】凹レンズ固定治具とレンズ枠に設置された伸縮部によって、近視用凹レンズと眼球との距離を可変にする本発明の眼鏡の構造の一例を示す図である。（ａ）近視用凹レンズと眼球との距離を短くするために、伸縮部が縮んだ状態。（ｂ）近視用凹レンズと眼球との距離を長くするために、伸縮部が伸びた状態。
【図４】本発明に用いられる伸縮部の一例を示す図である。（ａ）近視用凹レンズと眼球との距離を短くするために、伸縮部が縮んだ状態。（ｂ）近視用凹レンズと眼球との距離を長くするために、伸縮部が伸びた状態。
【符号の説明】
【００３２】
１    近視用凹レンズ
２    レンズ枠
３ａ  鼻当て
３ｂ  鼻当ての面
４Ａ  縮んだ状態の伸縮部
４Ｂ  伸びた状態の伸縮部
５    弦
６    曲げ部
７    眼鏡固定部
８    凹レンズ固定治具
１１    シリンダー
１２    軸
１３ａ  固定部材
１３ｂ  固定部材の固定表面
【図１】
2006317728.tif 000003
【図２】
2006317728.tif 000004
【図３】
2006317728.tif 000005
【図４】
2006317728.tif 000006